(57)【要約】【課題】  アーム部への可撓性基板と指示部との固定作業が良好で、光源と指示部との位置精度を向上させることが可能な指針式計器装置を提供する。【解決手段】  表示手段１の裏面側に配設された駆動本体２の回転軸２６に装着され、表示手段１の周囲へと迂回するアーム部３と指標部４を指示する指示部５とを備えた指針本体６と、指示部５を発光させる光源７と、アーム部３に配設され光源７を有する可撓性基板１０とを備え、指示部５の指針基部５ａに光源７からの光を受ける受光部５ｂと指示部５の長手方向を軸とした回転を規制する規制凸部５ｃとを設け、アーム部３に指示基部５ａが装着される指針接合部３ａと規制凸部５ｃに対応する規制凹部３ｂとを設け、可撓性基板１０を固定する位置決めピン５ｅを指示部５に設けるとともに、位置決めピン５ｅに対応する位置決め孔部３ｅをアーム部３に設けたものである。【選択図】  図２
2010078538.tif 000002
【特許請求の範囲】
【請求項１】
表示手段と、前記表示手段の裏面側に配設された駆動本体と、前記駆動本体の回転軸に装着され前記表示手段の周囲へと迂回するアーム部と指標部を指示する指示部とを備えた指針本体と、前記指示部を発光させる光源と、前記アーム部に配設されるとともに前記光源が実装された可撓性基板と、を備えた指針式計器装置において、前記指示部の指針基部に前記光源からの光を受ける受光部と前記指示部の長手方向を軸とした回転を規制する規制凸部とを設け、前記アーム部に前記指示基部が装着される指針接合部と前記規制凸部に対応する規制凹部とを設け、前記可撓性基板を固定する位置決めピンを前記指示部あるいは前記アーム部に設けるとともに、前記位置決めピンに対応する位置決め孔部を前記アーム部あるいは前記指示部に設けたことを特徴とする指針式計器装置。
【請求項２】
前記位置決めピンは、前記指示部と前記アーム部とを固定することを特徴とする請求項１に記載の指針式計器装置。
【請求項３】
前記規制凹部を前記指針接合部の前記可撓性基板を設けた側とは反対の側に設け、前記位置決めピンを前記指示部に設けるとともに前記位置決め孔部を前記アーム部に設けたことを特徴とする請求項１に記載の指針式計器装置。
【請求項４】
前記規制凹部を前記指針接合部の前記可撓性基板を設けた側に設け、前記位置決めピンを前記アーム部に設けるとともに前記位置決め孔部を前記指示部に設けたことを特徴とする請求項１に記載の指針式計器装置。
【発明の詳細な説明】
【技術分野】
【０００１】
本発明は、文字板や液晶表示器などの表示手段の前方を回動する指示部を備えた指針式計器装置に関する。
【背景技術】
【０００２】
従来の指針式計器装置は、文字板と、前記文字板の裏面側に配設された駆動本体と、前記駆動本体の回転軸に装着され前記文字板を迂回するアーム部を備えるとともにこのアーム部に設けられる指示部を備えた指針本体と、前記指示部を発光させる光源と、前記表示手段の背面側に配設され前記駆動本体を備えた回路基板と、一端が前記光源に接続され他端が前記回路基板に接続され前記光源へ通電する可撓性基板とを備えたものである。
【特許文献１】国際公開第２００６／５８２１号パンフレット
【発明の開示】
【発明が解決しようとする課題】
【０００３】
しかしながら、前記アーム部に、前記可撓性基板と前記指示部とを別々に固定しなければならず、組み立て作業が煩雑であるといった問題を有している。
【０００４】
また、前記可撓性基板と前記指示部との位置を定めて固定しないと、前記光源と前記指示部と位置関係がはずれてしまい、前記指示部を良好に照明することができないといった問題を有している。
【０００５】
そこで、本発明は前述した問題点に着目し、アーム部への可撓性基板と指示部との固定作業が良好で、光源と指示部との位置精度を向上させることが可能な指針式計器装置を提供することを目的とする。
【課題を解決するための手段】
【０００６】
本発明は、表示手段と、前記表示手段の裏面側に配設された駆動本体と、前記駆動本体の回転軸に装着され前記表示手段の周囲へと迂回するアーム部と指標部を指示する指示部とを備えた指針本体と、前記指示部を発光させる光源と、前記アーム部に配設されるとともに前記光源が実装された可撓性基板と、を備えた指針式計器装置において、前記指示部の指針基部に前記光源からの光を受ける受光部と前記指示部の長手方向を軸とした回転を規制する規制凸部とを設け、前記アーム部に前記指示基部が装着される指針接合部と前記規制凸部に対応する規制凹部とを設け、前記可撓性基板を固定する位置決めピンを前記指示部あるいは前記アーム部に設けるとともに、前記位置決めピンに対応する位置決め孔部を前記アーム部あるいは前記指示部に設けたものである。
【０００７】
また、本発明は、前記位置決めピンは、前記指示部と前記アーム部とを固定するものである。
【０００８】
また、本発明は、前記規制凹部を前記指針接合部の前記可撓性基板を設けた側とは反対の側に設け、前記位置決めピンを前記指示部に設けるとともに前記位置決め孔部を前記アーム部に設けたものである。
【０００９】
また、本発明は、前記規制凹部を前記指針接合部の前記可撓性基板を設けた側に設け、前記位置決めピンを前記アーム部に設けるとともに前記位置決め孔部を前記指示部に設けたものである。
【発明の効果】
【００１０】
本発明によれば、所期の目的を達成でき、アーム部への可撓性基板と指示部との固定作業が良好で、光源と指示部との位置精度を向上させることが可能な指針式計器装置を提供することができる。
【発明を実施するための最良の形態】
【００１１】
以下、本発明の第１実施形態を図１〜８を用いて説明する。
【００１２】
本実施形態の指針式計器装置Ｍは、車両の速度を表示するものであり、表示部である表示手段１と、駆動本体２と、アーム部３と指示部５とを備えた指針本体６と、この指針本体６に設けられるとともに指示部５を発光させる第１の光源７と、回路基板８と、この回路基板８に実装される第２の光源９と、第１の光源７と回路基板８とを電気的に接続する可撓性基板１０とを備えている。
【００１３】
なお、１２は、ハウジングであり、１３は、見返し部材であり、１４は、フレームである。
【００１４】
表示手段１は、表示器１５と、この表示器１５を収納する収納ケース１６と、この収納ケース１６の開口１６ａを覆う前面カバー１７とで構成されている。この表示手段１は、適宜手段によって、回路基板８に固定されている。
【００１５】
表示器１５は、車両に関する情報などを表示するものである。車両に関する情報としては、経路誘導、車両に関する警告表示、また車両の外気温などを表示するものである。
【００１６】
表示器１５は、上記の情報を表示するために、ドットマトリックスの液晶表示素子１８を用いたものである。なお、１９は、液晶表示素子１８を照明する液晶用光源であり、２０は、光源１９からの光を集光や拡散などを行う光学部材であり、２１は、液晶表示素子１８、光源１９および光学部材２０を収納するケースであり、２２は、ケース２１を覆うカバーである。カバー２２には、液晶表示素子１８が露出する窓２３が設けられている。ケース２１には、支柱２４が設けられており、この支柱２４によって、表示器１５は、収納ケース１６に固定されている。
【００１７】
収納ケース１６は、遮光性の合成樹脂からなり、カップ状をしている。また、この収納ケース１６には、第２の光源９からの光を取り入れる開口２５が設けられている。この開口２５は、複数設けられている。
【００１８】
前面カバー１７は、透明な合成樹脂からなり、表示器１５や収納ケース１６内部を視認することができる。前面カバー１７は、文字板の機能を果たすものであり、速度を表す文字からなる指標部４を備えている。この指標部４は、前面カバー１７の背面（図２中下側の面）に、微細な凹凸によって、形成されている。また、前面カバー１７の板面の周囲には、駆動本体２方向に垂れ下がるように形成された壁部２７を備えている。この壁部２７は、前面カバー１７を収納ケース１６に固定する役割を果たすとともに、第２の光源９からの光を取り入れる役割を果たすものでもある。前面カバー１７に設けた指標部４は、開口２５を通して収納ケース１６内に取り込んだ光と、前面カバー１７の壁部２７から取り込んだ光によって照明される。
【００１９】
駆動本体２は、交差コイル式計器本体やステッピングモータなどの電動機で、回転する回転軸２６を備えており、指針本体６を回動させるものである。
【００２０】
指針本体６は、アーム部３と指示部５とで構成されている。
【００２１】
アーム部３は、合成樹脂からなり、表示手段１の外周を迂回するようにＬの字形状をしており、一端に指示部５を保持するとともに、他端で、駆動本体２の回転軸２６に装着されるものである。
【００２２】
アーム部３には、指示部５の後述する指示基部が装着される貫通した孔からなる指針接合部３ａを備えている。この指針接合部３ａには、指示部５の長手方向を軸とした回転を規制する規制凹部３ｂを備えている。この規制凹部３ｂは、指示部５に設けた後述する規制凸部に対応するものであり、指針接合部３ａの可撓性基板１０を設けた側とは反対の側に設けられている。
【００２３】
指針接合部３ａは、図６中、右側が幅の広い径大部３ｃで、左側が幅の狭い径小部３ｄである。そして、この径小部３ｄを設けた部分のアーム部３には、貫通した孔からなる位置決め孔部３ｅが設けられている。この位置決め孔部３ｅには、指示部５の後述する位置決めピンが挿入され、アーム部３と指示部５との位置決めを行うものである。また、径小部３ｄ内には、第１の光源７が収納されている。
【００２４】
指示部５は、アーム部３に固定され、アーム部３から表示手段１の中心方向へ延設されている。そして、指示部５は、指標部４の文字や後述する目盛を指示するものである。
【００２５】
指示部５は、アーム部３に装着される根元側が指針基部５ａであり、この指針基部５ａには、第１の光源７からの光を受ける受光部５ｂと、指示部５の長手方向を軸とした回転を規制する規制凸部５ｃとを備えている。この規制凸部５ｃは、図８中、左方向に突出した断面形状が台形の凸部であり、アーム部３に設けた規制凹部３ｂに合致するものである。
【００２６】
また、指針基部５ａには、左右（図７中上下方向）に張り出した突出部５ｄを備えており、この突出部５ｄには、位置決めピン５ｅが設けられている。
【００２７】
突出部５ｄは、アーム部３に設けた径大部３ｃに合致するものであり、突出部５ｄと径大部３ｃとで、アーム部３と指示部５との位置を決めることもできる。また、位置決めピン５ｅは、円柱状で、アーム部３に設けた位置決め孔部３ｅを貫通するものである。
【００２８】
第１の光源７は、発光ダイオードからなり、指示部５に光を供給して発光させるものである。この第１の光源７は、可撓性基板１０に実装され、可撓性基板１０とともに指針本体６のアーム部３に固定されている。
【００２９】
回路基板８は、表示手段１の背面側（図２中下側）に配設されている。この回路基板８は、ガラスエポキシ樹脂などからなる硬質の絶縁材料からなる基板である。この回路基板８には、表示手段１、駆動本体２、第２の光源９およびフレーム１４が固定されている。そして、回路基板８の表面には、図示しない導体を備えており、この導体を介して、表示手段１の表示器１５、駆動本体２および第２の光源９に電力を供給するものである。
【００３０】
第２の光源９は、発光ダイオードからなり、表示手段１の表示器１５の周囲、収納ケース１６内、指標部４を照明するものである。
【００３１】
可撓性基板１０は、ポリイミドなどの軟質の絶縁材料からなる基板であり、図示しない導電体を備えている。この可撓性基板１０は、一端に第１の光源７が実装されており、他端に図示しないコネクタなどで、回路基板８と電気的に接続している。
【００３２】
また、可撓性基板１０には、位置決めピン５ｅが貫通する貫通孔１０ａを備えている。この貫通孔１０ａを貫通した位置決めピン５ｅの端部は、熱によって溶かされて可撓性基板１０は、アーム部３と指示部５とともに固定される。そして、この時に固定とともに、第１の光源７と指示部５との位置が決まる。
【００３３】
ハウジング１２は、遮光性の合成樹脂からなり、表示手段１、駆動本体２、指針本体６および回路基板８などの指針式計器装置Ｍの構成部品を収納するものである。
【００３４】
見返し部材１３は、遮光性の合成樹脂からなり、ハウジング１２の開口１２ａに設けられるものである。この見返し部材１３には、指標部を構成する目盛２９が一体形成されている。この目盛２９は、前面カバー１７に設けた指標部４とともに車両の速度を表すものである。
【００３５】
フレーム１４は、白色の合成樹脂からなり、第２の光源９からの光を効率よく表示手段１に反射する反射体である。このフレーム１４は、第２の光源９からの光を回転軸２６を中心に外側へ放射するように反射する第１の反射体１４ａと、この第１の反射体１４ａで反射した光を表示手段１側へ反射する第２の反射体１４ｂとで構成されている。
【００３６】
以上のように構成したことによって、アーム部３に指示部５を挿入し、可撓性基板１０を指示部５の位置決めピン５ｅに挿入後、位置決めピン５ｅを溶着することで、組み立て作業が煩雑とならず、作業性が向上する。
【００３７】
また、可撓性基板１０と指示部５との位置を定めて固定することで、第１の光源７と指示部５と位置精度を向上させることが可能な指針式計器装置Ｍを提供することができる。
【００３８】
次に本発明の第２実施形態を図９〜１３を用いて説明する。なお、第１実施形態と同一および相当個所には、同一符号を付して、その詳細な説明は省略する。
【００３９】
指針本体６１は、アーム部３１と指示部５１とで構成されている。
【００４０】
アーム部３１は、合成樹脂からなり、表示手段１の外周を迂回するようにＬの字形状をしており、一端に指示部５１を保持するとともに、他端で、駆動本体２の回転軸２６に装着されるものである。
【００４１】
アーム部３１には、指示部５１の後述する指示基部が装着される貫通した孔からなる指針接合部３１ａを備えている。この指針接合部３１ａには、指示部５１の長手方向を軸とした回転を規制する規制凹部３１ｂを備えている。この規制凹部３１ｂは、指示部５１に設けた後述する規制凸部に対応するものであり、指針接合部３１ａの可撓性基板１０を設けた側に設けられている。
【００４２】
指針接合部３１ａは、図１１中、左側が幅の広い径大部３１ｃで、右側が幅の狭い径小部３１ｄである。そして、径大部３１ｃと径小部３１ｄとの段差部３１ｅに、位置決めピン３１ｆが設けられている。この位置決めピン３１ｆは、位置決めピン３１ｆは、円柱状で、指示部５１の後述する位置決め孔部に挿入され、アーム部３１と指示部５１との位置決めを行うものである。また、位置決めピン３１ｆは、前記位置決め孔部を貫通するものである。
【００４３】
指示部５１は、アーム部３１に装着される根元側が指針基部５１ａであり、この指針基部５１ａには、第１の光源７からの光を受ける受光部５１ｂを備えた凹部５１ｆを備えている。また、指針基部５１ａには、指示部５１の長手方向を軸とした回転を規制する規制凸部５１ｃを備えている。この規制凸部５１ｃは、図１２中、左方向に突出した断面形状が台形の凸部であり、アーム部３１に設けた規制凹部３１ｂに合致するものである。
【００４４】
また、指針基部５１ａには、左右（図１３中上下方向）に張り出した突出部５１ｄを備えており、この突出部５１ｄには、位置決め孔部５１ｅが設けられている。
【００４５】
突出部５１ｄは、アーム部３１に設けた径大部３１ｃに合致するものであり、突出部５１ｄと径大部３１ｃとで、アーム部３１と指示部５１との位置を決めることもできる。
【００４６】
以上のように構成したことによって、アーム部３１に指示部５１を挿入し、可撓性基板１０をアーム部３１の位置決めピン３１ｆに挿入後、位置決めピン３１ｆを溶着することで、組み立て作業が煩雑とならず、作業性が向上する。
【００４７】
また、可撓性基板１０と指示部５１との位置を定めて固定することで、第１の光源７と指示部５１と位置精度を向上させることが可能な指針式計器装置Ｍを提供することができる。
【図面の簡単な説明】
【００４８】
【図１】本発明の第１実施形態の指針式計器装置の正面図。
【図２】図１中Ａ−Ａ線の断面図。
【図３】同実施形態の指針本体の要部断面図。
【図４】図３中矢印Ｂ方向から見たアーム部の正面図。
【図５】図３中矢印Ｃ方向から見たアーム部の正面図。
【図６】図４中Ｄ−Ｄ線の断面図。
【図７】同実施形態の指示部の上面図。
【図８】図７中矢印Ｅ方向から見た指示部の背面図。
【図９】本発明の第２実施形態の指針本体の要部断面図。
【図１０】図９中矢印Ｆ方向から見たアーム部の正面図。
【図１１】図１０中Ｇ−Ｇ線の断面図。
【図１２】図９中矢印Ｆ方向から見た指示部の背面図。
【図１３】図１２中Ｈ−Ｈ線の断面図。
【符号の説明】
【００４９】
Ｍ    指針式計器装置
１    表示手段
２    駆動本体
３    アーム部
３ａ  指針接合部
３ｂ  規制凹部
３ｅ  位置決め孔部
４    指標部
５    指示部
５ａ  指針基部
５ｂ  受光部
５ｃ  規制凸部
５ｅ  位置決めピン
６    指針本体
７    第１の光源
１０    可撓性基板
２６    回転軸
３１    アーム部
３１ａ  指針接合部
３１ｂ  規制凹部
３１ｆ  位置決めピン
５１    指示部
５１ａ  指針基部
５１ｂ  受光部
５１ｃ  規制凸部
５１ｅ  位置決め孔部
【図１】
2010078538.tif 000003
【図２】
2010078538.tif 000004
【図３】
2010078538.tif 000005
【図４】
2010078538.tif 000006
【図５】
2010078538.tif 000007
【図６】
2010078538.tif 000008
【図７】
2010078538.tif 000009
【図８】
2010078538.tif 000010
【図９】
2010078538.tif 000011
【図１０】
2010078538.tif 000012
【図１１】
2010078538.tif 000013
【図１２】
2010078538.tif 000014
【図１３】
2010078538.tif 000015